(57)【要約】      （修正有）【課題】あらゆる場所に容易に取付けて使用することができると共に、容易に取り外すことのできる鏡面体を提供する。【解決手段】板状である取付板２ａの片面に平面鏡２ｂを設けると共に、他面に凹面鏡を設けた鏡板２と、鏡板２を、直立姿勢においてその上下両端部を保持し、水平方向に回転自在に支持する円弧状の支持枠３と、支持枠３の左右側一端部を保持し、支持枠３を垂直方向に回転自在に支持する第一支持棒４と、第一支持棒４の下端部を保持し、その第一支持棒４を垂直方向に回転自在に支持する第二支持棒５と、第二支持棒５の下端部を前後方向に回動自在に支持する支持部材６と、支持部材６の下面に取付けられ、板状部材Ｐを挟持して組付く対向挟持内面緩衝材７ｅ配置クリップ体７と、クリップ体７の下面に設けられた複数の吸盤８とで構成する。【選択図】図１
0003155985.tif 000002
【実用新案登録請求の範囲】
【請求項１】
鏡体（２）をユニバーサルリンク機構（U）を介して取付けられる支持部材の下面に取付けられ，板状部材（Ｐ）を挟持して組付く対向挟持内面緩衝材（７ｅ）配置クリップ体（７）と、前記クリップ体の下面に設けられた複数の吸盤（８）と、を備えてなる鏡面体。
【請求項２】
板状である取付板（２ａ）の片面に平面鏡（２ｂ）を設けると共に，他面に凹面鏡（２ｃ）を設けた鏡板（２）と、前記鏡板を，直立姿勢においてその上下両端部を保持し，左右水平方向に回転自在に支持する円弧状の支持枠（３）と、前記支持枠の左右側一端部を保持し，該支持枠を前後垂直方向に回動自在に支持する第一支持棒（４）と、前記第一支持棒の下端部を保持し，該第一支持棒を前後垂直方向に回動自在に支持する第二支持棒（５）と、前記第二支持棒の下端部を保持し，該第二支持棒を前後垂直方向に回動自在に支持する支持部材（６）と、前記支持部材の下面に取付けられ，板状部材（Ｐ）を挟持して組付く対向挟持内面緩衝材（７ｅ）配置クリップ体（７）と、前記クリップ体の下面に設けられた複数の吸盤（８）と、を備えてなる鏡面体。
【考案の詳細な説明】
【技術分野】
【０００１】
本考案は、あらゆる場所に、取付けおよび取り外し自在に固定することのできる鏡面体に関するものである。
【背景技術】
【０００２】
従来から、回転自在の板状取付部の片面に平面鏡を取付けると共に、他面に凹面鏡を取付けた鏡面体が多く使用されている。この鏡面体は、必要に応じて、板状取付部を回転させて平面鏡と凹面鏡を自在に使用することができるので、実用性に富むといった利点がある。
【考案の概要】
【考案が解決しようとする課題】
【０００３】
しかし、この従来の鏡面体は、その基部を壁面等に、ビスなどで固定して使用するものであるため、一旦固定してしまうと、移動させることが困難であるといった問題がある。
【０００４】
本考案はこうした問題に鑑み創案されたもので、あらゆる場所に容易に取付けて使用することができると共に、容易に取り外すことのできる鏡面体を提供することを課題とする。
【課題を解決するための手段】
【０００５】
［用語の定義］ユニバーサルリンク機構とは、固定状態の支持部材に対し支持枠を人手によって自由に変位させることが出来るが、手を放すと支持部材に対し支持枠の位置が変位しない機構を言う。
【０００６】
図１乃至図４を参照して説明する。請求項１に記載の鏡面体１は、鏡体２をユニバーサルリンク機構Uを介して取付けられる支持部材６の下面に取付けられ、板状部材Ｐを挟持して組付く対向挟持内面緩衝材７ｅ配置クリップ体７と、前記クリップ体７の下面に設けられた複数の吸盤８と、を備えるものである。
【０００７】
請求項２に記載の鏡面体１は、板状である取付板２ａの片面に平面鏡２ｂを設けると共に、他面に凹面鏡２ｃを設けた鏡板２と、前記鏡板２を、直立姿勢においてその上下両端部を保持し、左右水平方向に回転自在に支持する円弧状の支持枠３と、前記支持枠３の左右側一端部を保持し、当該支持枠３を前後垂直方向に回転自在に支持する第一支持棒４と、前記第一支持棒４の下端部を保持し、その第一支持棒４を前後垂直方向に回動自在に支持する第二支持棒５と、前記第二支持棒５の下端部を保持し、その第二支持棒５を前後垂直方向に回動自在に支持する支持部材６と、前記支持部材６の下面に取付けられ、板状部材Ｐを挟持して組付く対向挟持内面緩衝材７ｅ配置クリップ体７と、前記クリップ体７の下面に設けられた複数の吸盤８と、を備えるものである。
【考案の効果】
【０００８】
請求項１及び２に記載の鏡面体１は、あらゆる場所に容易に取付けて使用することができると共に、容易に取り外すことができる。すなわち、鏡面体１を、対向挟持内面に緩衝材７ｅを配置したクリップ体７を板状部材Ｐ（例えば、洗面所の棚板）に挟持させることによって取付けて使用することができる。また、使用後は、クリップ体７を板状部材Ｐから取り外すことができる。従って、鏡面体１の取付けおよび取り外しを容易に行うことができる。
【０００９】
また、クリップ体７で挟持することのできる厚さの板状部材Ｐが存在しない場合には、吸盤８を平面部分Ｆ（例えば、洗面所のシンクの縁部分）に吸着させて使用することができる。また、使用後は吸着を解いて取り外すことができる。従って、鏡面体１の取付けおよび取り外しを容易に行うことができる。また、使用者の好みに合った場所に、自在に取付けることも可能である。
【図面の簡単な説明】
【００１０】
【図１】本考案に係る鏡面体の実施形態を示す正面図である（クリップ体で固定した状態を示す）。
【図２】図１に示す鏡面体の右側面図である（クリップ体で固定した状態を示す）。
【図３】図１に示す鏡面体の右側面図である（吸盤で固定した状態を示す）。
【図４】図１に示す鏡面体の分解図である。
【考案を実施するための形態】
【００１１】
用語の説明・・剛体とはステンレス等の金属や硬質合成樹脂を言う。本考案に係る鏡面体１の実施形態を、図１乃至図４に示す。この鏡面体１は、鏡板２、支持枠３、第一支持棒４、第二支持棒５、支持部材６、対向挟持内面にゴムや合成樹脂より成る緩衝材７ｅを配置したクリップ体７および吸盤８とで構成される。
【００１２】
鏡板２は、板状である剛体製取付板２ａの片面に平面鏡２ｂを固定すると共に、他面に、平面鏡２ｂと背中合わせの状態で凹面鏡２ｃを固定して構成している。なお、本実施形態における取付板２ａ、平面鏡２ｂおよび凹面鏡２ｃはいずれも円形に設定しているが、本考案はこれに限定されるものではなく、例えば、矩形状とすることもできる。
【００１３】
支持枠３は剛体製であり、鏡板２を、直立姿勢の状態においてその上下両端部を保持し、左右水平方向に回転自在に支持する半円弧状である。なお、鏡板２が水平姿勢の状態においては、その前後両端部を保持し、左右垂直方向に回転自在に支持することになる。
【００１４】
第一支持棒４は剛体製であり、支持枠３の左右側一端部を保持し、その支持枠３を前後垂直方向に回転自在に支持する。第二支持棒５も剛体製であり、第一支持棒４の下端部を保持し、当該第一支持棒４を前後垂直方向に回動自在に支持する。支持部材６は、第二支持棒５の下端部を保持し、その第二支持棒５を前後垂直方向に回動自在に支持する。
【００１５】
クリップ体７も剛体製で、支持部材６の下面にボルトＢとナットＮによって取付けられ、板状部材Ｐを挟持して組付く。このクリップ体７は、上片７ａと下片７ｂとを連結棒７ｃを介して連結し、連結棒７ｃに嵌装した弦巻バネ７ｄの弾力によって板状部材Ｐを挟持するものである。
【００１６】
なお、本実施形態におけるクリップ体７は、上片７ａと下片７ｂのそれぞれに幅狭の把持部Ｈと幅広の挟持部Ｋを設けた平面略凸型であるが、このクリップ体７の平面形状は限定されず、円形、楕円形、四角形、三角形などに設定することができる。
【００１７】
吸盤８は合成樹脂製であり、クリップ体７の下面に固定される。本実施形態における吸盤８は、クリップ体７の左右両側のそれぞれに設けている（合計二つ）。この吸盤８の数は複数であれば良く、二つに限定されない。
【００１８】
なお、支持枠３と第一支持棒４との連結部分にはそれぞれ回転部材Ｔと受け部材Ｒを設けており、これらを突き合わせた状態で、その内部にビスＳを螺入させ、そのビスＳを回転させることによって、両者の組付き力を調整している。同様に、第一支持棒４と第二支持棒５との連結部分、および第二支持棒５と支持部材６との連結部分にも回転部材Ｔと受け部材Ｒを設けて、同様にビスＳによって組付き力の調整を図っている。
【００１９】
支持枠３，回転部材Ｔ，受け部材Ｒ，ビスＳ，第一支持棒４，回転部材Ｔ，受け部材Ｒ，ビスＳ，第二支持棒５，回転部材Ｔ，受け部材Ｒ，ビスＳによって、鏡板２から支持部材６に至るユニバーサルリンク機構Ｕの一例を構成している。
【００２０】
本実施形態に係る鏡面体１は、クリップ体７を板状部材Ｐ（例えば、洗面所の棚）に挟持させることによって取付けて使用することができる。また、使用後は、クリップ体７を板状部材Ｐから取り外すことができる。従って、鏡面体１の取付けおよび取り外しを容易に行うことができる。
【００２１】
また、吸盤８を平面部分Ｆ（例えば、洗面所のシンクの縁部分）に吸着させて使用することができる。また、使用後は吸着を解いて（引っ張って）取り外すことができる。従って、鏡面体１の取付けおよび取り外しを容易に行うことができる。
【００２２】
本実施形態に係る鏡面体１は、上記したように、あらゆる場所に容易に取付けて使用することができると共に、容易に取り外すこともできる。これは、健常者のみでなく、半身不随などで車椅子の使用を余儀なくされている身体の不自由な人々にも極めて実用的である。すなわち、例えば、この鏡面体１を、車椅子の肘掛け部分に挟むことによって、片手が不自由であっても化粧等の作業を行うことができる。また、この鏡面体１を、その吸盤８をテーブルに吸着させて固定することによっても、同様に、片手でも化粧を行うことができる。
【符号の説明】
【００２３】
１        鏡面体
２        鏡板
２ａ      取付板
２ｂ      平面鏡
２ｃ      凹面鏡
３        支持枠
４        第一支持棒
５        第二支持棒
６        支持部材
７        クリップ体
７ａ      上片
７ｂ      下片
７ｃ      連結棒
７ｄ      弦巻バネ
７ｅ      緩衝材
８        吸盤
Ｂ        ボルト
Ｆ        平面部分
Ｈ        把持部
Ｋ        挟持部
Ｎ        ナット
Ｐ        板状部材
Ｒ        受け部材
Ｓ        ビス
Ｔ        回転部材
Ｕ        ユニバーサルリンク機構
【図１】
0003155985.tif 000003
【図２】
0003155985.tif 000004
【図３】
0003155985.tif 000005
【図４】
0003155985.tif 000006